(57)【特許請求の範囲】
【請求項１】
平板状の基板の上面に凹部を備えて垂設された下部突起と、前記基板の下面に逆凹部を備えて突設された上部突起とをそれぞれ交互に複数個所定間隔を有して複数列に亘って設けてパネルボードを形成し、
部屋の下面に設けられた床面上に、大引きを所定間隔を有して複数本配設すると共に、該各大引き間の凹部に断熱材を装入し、且つ前記各大引き上に断熱板を架け渡して固定し、更に前記断熱板上に、前記パネルボードとほぼ同一高さと長さに形成された根太を、該パネルボードとほぼ同一巾の間隔を有して複数本配設して複数列に亘って根太群を形成すると共に、該根太群を構成する各列の根太を各列毎にそれぞれ千鳥状に配設して、該各列の根太群を構成する各根太の端縁部間に通気開口を形成し、
前記各列を構成する各根太間の各凹部に前記パネルボードをそれぞれ装入して、前記各パネルボードと各根太との接合部にコーキング材を塗布し、更に前記互いに隣り合う各列を構成する各パネルボードの接合部、および該各パネルボードと各根太の長手方向端縁部の接合部とにコーキング材を塗布して、互いに隣り合う各列の各パネルボードを接合すると共に、該各根太およびパネルボード上に下張りを架け渡して固定し、且つ部屋の壁際に配設されたパネルボードにスリットを設けたグリルを延設する一方、前記パネルボードの上下面にそれぞれ下部空調エア通路と上部空調エア通路を形成すると共に、前記各列を構成する各パネルボードにより形成された各下部空調エア通路および各上部空調エア通路を連通し、更に前記各パネルボードの下部空調エア通路に、空気調和機室に設置された冷・温風を発生する空気調和機と連結したダクトを開口連結して、該空気調和機からの冷・温風を前記下部空調エア通路に送気して各パネルボードを冷却・加温し、
前記空気調和機から前記下部空調エア通路に送気されて各パネルボードを冷却・加温した後の使用済みの冷・温風を、該下部空調エア通路の他端縁部側の加圧機室に設置された加圧機に吸引して加冷・加温し、該加冷・加温した冷・温風を前記各パネルボードに装着された圧送手段を介して、該各パネルボードの上部空調エア通路に圧送して各パネルボードおよび下張りを冷却または加温すると共に、前記各パネルボードの上部空調エア通路に圧送された前記冷・温風の空調エアを、該各パネルボードの四周縁部の排気孔から前記下部空調エア通路に排気して循環させ、該各パネルボードの冷気または暖気を部屋へ放射する床放射冷暖房装置と、
前記空気調和機から下部空調エア通路に送気された前記冷・温風の空調エアを、前記グリルのスリットを介して部屋へ吹出すと共に、前記空気調和機室を構成する部屋側の壁に還流口を設けて、部屋内の空気を該空気調和機室に還流して循環させる床吹出し冷暖房装置とを組合せたことを特徴とする住宅用全空気方式床冷暖房システム。
【発明の詳細な説明】
【０００１】
【発明の属する技術分野】
本発明は、空気調和機で生成された冷・温風の空調エアを使用した床放射冷暖房装置と、床吹出し冷暖房装置とを組合せた、木造住宅やマンション等の住宅用全空気方式床冷暖房システムに関するものである。
【０００２】
【従来の技術】
従来、空調による冷・温風を使用した床冷暖房装置と床吹出し冷暖房装置とを組合せた住宅用全空気方式床冷暖房システムは、木造住宅やマンション等の住宅用としては実用に供されていなかった。そして、従来は、単にオフィスビル用として、特許第２６０２１９４号公報に開示されたものが公知であった。
【０００３】
【発明が解決しようとする課題】
前記従来公知の特許第２６０２１９４号公報に開示された冷暖房装置では、冷水および温水を生成する冷温水発生機を使用するので、該冷温水発生機を設置するスペースが必要であると共に、冷温水パイプを設置しなければならないので、設置費用が高価となり、また前記冷温水発生機を稼動するのにかなりの経費がかかり、従って木造住宅やマンション等の住宅用としてこれを使用すると極めて高価な冷暖房費となるという課題があった。
【０００４】
本発明は、前記課題を解決すべくなされたもので、冷温水発生機を使用することなく、空気調和機により生成された冷・温風の空調エアでパネルボードを冷却または加温すると共に、該パネルボードを冷却または加温した後の使用済みの冷・温風を加圧機で加圧して加冷・加温し、再びこれを利用することにより、設備費用の軽減を図ると共に、冷暖房費の軽減を図ることができる住宅用全空気方式床冷暖房システムを提供しようとするものである。
【０００５】
【課題を解決するための手段】
本発明は、平板状の基板の上面に凹部を備えて垂設された下部突起と、前記基板の下面に逆凹部を備えて突設された上部突起とをそれぞれ交互に複数個所定間隔を有して複数列に亘って設けてパネルボードを形成し、
部屋の下面に設けられた床面上に、大引きを所定間隔を有して複数本配設すると共に、該各大引き間の凹部に断熱材を装入し、且つ前記各大引き上に断熱板を架け渡して固定し、更に前記断熱板上に、前記パネルボードとほぼ同一高さと長さに形成された根太を、該パネルボードとほぼ同一巾の間隔を有して複数本配設して複数列に亘って根太群を形成すると共に、該根太群を構成する各列の根太を各列毎にそれぞれ千鳥状に配設して、該各列の根太群を構成する各根太の端縁部間に通気開口を形成し、
前記各列を構成する各根太間の各凹部に前記パネルボードをそれぞれ装入して、前記各パネルボードと各根太との接合部にコーキング材を塗布し、更に前記互いに隣り合う各列を構成する各パネルボードの接合部、および該各パネルボードと各根太の長手方向端縁部の接合部とにコーキング材を塗布して、互いに隣り合う各列の各パネルボードを接合すると共に、該各根太およびパネルボード上に下張りを架け渡して固定し、且つ部屋の壁際に配設されたパネルボードにスリットを設けたグリルを延設する一方、前記パネルボードの上下面にそれぞれ下部空調エア通路と上部空調エア通路を形成すると共に、前記各列を構成する各パネルボードにより形成された各下部空調エア通路および各上部空調エア通路を連通し、更に前記各パネルボードの下部空調エア通路に、空気調和機室に設置された冷・温風を発生する空気調和機と連結したダクトを開口連結して、該空気調和機からの冷・温風を前記下部空調エア通路に送気して各パネルボードを冷却・加温し、
前記空気調和機から前記下部空調エア通路に送気されて各パネルボードを冷却・加温した後の使用済みの冷・温風を、該下部空調エア通路の他端縁部側の加圧機室に設置された加圧機に吸引して加冷・加温し、該加冷・加温した冷・温風を前記各パネルボードに装着された圧送手段を介して、該各パネルボードの上部空調エア通路に圧送して各パネルボードおよび下張りを冷却または加温すると共に、前記各パネルボードの上部空調エア通路に圧送された前記冷・温風の空調エアを、該各パネルボードの四周縁部の排気孔から前記下部空調エア通路に排気して循環させ、該各パネルボードの冷気または暖気を部屋へ放射する床放射冷暖房装置と、
前記空気調和機から下部空調エア通路に送気された前記冷・温風の空調エアを、前記グリルのスリットを介して部屋へ吹出すと共に、前記空気調和機室を構成する部屋側の壁に還流口を設けて、部屋内の空気を該空気調和機室に還流して循環させる床吹出し冷暖房装置とを組合せるという手段を採用することにより、上記課題を解決した。
【０００６】
【発明の実施の形態】
本発明の実施の形態を図面に基づいて詳細に説明すると、本発明住宅用全空気方式床冷暖房システムは、部屋Ｒの下面に設けられたコンクリート等の床面１上に、下部空調エア通路２と上部空調エア通路３を形成することができるパネルボード４を複数枚固定して、前記各複数枚のパネルボード４の下部空調エア通路２および上部空調エア通路３をそれぞれ連通すると共に、該下部空調エア通路２および上部空調エア通路３に、冷・温風の空調エアを送気してパネルボード４を冷却または加温し、該パネルボード４から冷気または暖気を部屋Ｒに放射する床放射冷暖房装置と、前記下部空調エア通路２に送気された冷・温風の空調エアを部屋Ｒの端部に設置されたグリル５に設けられたスリット６を介して吹出して、部屋Ｒを冷却または加温する床吹出し冷暖房装置とを組合せて構成されている。
【０００７】
前記コンクリート等の床面１上には大引き７を所定間隔を有して複数本配設すると共に、該各大引き７間の凹部８にはグラスウール等の断熱材９を装入し、更に前記各大引き７上に断熱効果を有する断熱板１０を架け渡して固定する。
【０００８】
前記断熱板１０上には、前記大引き７と直角方向に、前記パネルボード４とほぼ同一高さと長さに形成された根太１１を、前記パネルボード４とほぼ同一巾の間隔を有して横方向に複数本配設し、且つ該各根太１１間の各凹部１３には前記各パネルボード４をそれぞれ装入して１列の根太群１２ａを形成すると共に、該根太群１２ａの長手方向端部側にも前記根太群１２ａと同一構成の根太群１２ｂ・１２ｃを連設する。前記各根太群１２ａ〜１２ｃを構成する根太１１は、各列毎に図６〜図７に示すように断熱板１０上に千鳥状に配設して固定される。以下同様にして根太群を所要列に亘って形成する。
【０００９】
そして、前記各根太１１およびパネルボード４上に下張り１４を架け渡して固定し、更に該下張り１４上に、ビニールカーペット、木製タイルやフローリング等の床仕上材１５を固定する。
【００１０】
前記パネルボード４は、平板状の基板１６の上面にコップ状をした凹部１７を備えて垂設された下部突起１８と、前記基板１６の下面に方形状の逆凹部１９を備えて突設された上部突起２０とをそれぞれ交互に複数個所定間隔を有して複数列に亘って設けて形成されている。なお、前記パネルボード４は、特に限定する必要はないが、熱伝導率のよい金属板、好ましくはアルミニウム板により形成することが推奨される。
【００１１】
前記構成より成るパネルボード４は、各２本の根太１１間の凹部１３内に１枚ずつ装入して、各下部突起１８の底面を前記断熱板１０上に載置し、且つ前記各パネルボード４と各根太１１との接合部にコーキング材２１を塗布すると共に、互いに隣り合う各列を構成する根太群に装入された各パネルボード４および各パネルボード４と根太１１との接合部にコーキング材２１を塗布して、互いに隣り合う各列の各パネルボード４を互いに接合し、更に、前記各パネルボード４の各上部突起２０および各根太１１上に接触するようにして下張り１４を架け渡して固定し、且つ該下張り１４上に床仕上材１５を固定して、前記断熱板１０と各パネルボード４の下面部間に下部空調エア通路２を形成すると共に、前記下張り１４と各パネルボード４の上面部間に上部空調エア通路３を形成する。
【００１２】
なお、前記各根太１１の長さおよび各根太１１間の間隔は、施工場所によって異なるので、パネルボード４は、前記各根太１１の長さおよび各根太１１間の間隔に合わせて形成することが好ましい。もし、寸法が合わない場合は、パネルボード４を適宜切断して長さを調整して使用すれば良い。
【００１３】
前記パネルボード４の下面に垂設された複数個の下部突起１８が、それぞれ独立して形成されているため、該各下部突起１８の底面が断熱板１０上に接地しているだけで、各下部突起１８間は連通状態となり、下部突起１８の外周面および方形状の逆凹部１９を含めてパネルボード４の下面において、前記下部空調エア通路２が形成され、空気の流通が可能である。
【００１４】
また、前記パネルボード４の上面に突設された複数個の上部突起２０が、それぞれ独立して形成されているため、該各上部突起２０の上面が下張り１４に当接しているだけで、各上部突起２０間は連通状態となり、上部突起２０の外周面およびコップ状の凹部１７を含めてパネルボード４上面において、前記上部空調エア通路３が形成され、空気の流通が可能である。
【００１５】
そして、前記各列毎に千鳥状に根太１１を配設することにより、図７に示すように各列の根太１１の各長手方向端縁部間にそれぞれ通気開口２２が形成され、更に、前記互いに隣り合う各列を構成する各パネルボード４の接合部、および該各パネルボード４と各根太１１の長手方向端縁部の接合部とにコーキング材２１を塗布して各列の各パネルボード４を互いに接合してあるため、前記各列のいずれのパネルボード４の下部空調エア通路２および上部空調エア通路３が、すべて連通状態となり、図７において矢印で示す方向に空気の流通が可能である。
【００１６】
また、前記部屋Ｒにおいて、例えば窓が形成されていて、外部よりの冷気や暖気が侵入するぺリメータ部等の壁２３ａに接近したパネルボード４の端縁部に、スリット６を多数開口したグリル５が延設されている。
【００１７】
前記部屋Ｒの互いに対面する壁２３ａ・２３ｂの外側には後述する空気調和機２４と加圧機２５を設置する、空気調和機室２６と加圧機室２７とがそれぞれ外壁２８ａ・２８ｂを設けて形成されている。
【００１８】
前記空気調和機室２６に設置された空気調和機２４は室外機２９と接続されると共に、該空気調和機２４により生成された冷・温風を前記各パネルボード４下面に形成された下部空調エア通路２内に送気するため、前記空気調和機２４に基部側を連結したダクト３０の先方部が、前記部屋Ｒの一端縁部に位置する下部空調エア通路２に開口連通されている。
【００１９】
そして、前記空気調和機室２６を構成する部屋Ｒ側の壁２３ａの上方部には、部屋Ｒの空気を空気調和機２４が吸引して、該空気を循環させて使用するための還流口３１が設けられている。
【００２０】
前記空気調和機２４により生成された冷・温風の空調エアを下部空調エア通路２に送気して、該下部空調エア通路２に送気された冷・温風により、各パネルボード４を下面より冷却または加温して、冷気または暖気を床放射するよう形成されると共に、前記グリル５のスリット６から部屋Ｒ内に冷・温風を吹出して、ペリメータ部の暖気または冷気を抑制し、部屋Ｒを冷暖房できるように形成されている。
【００２１】
そして、前記下部空調エア通路２内に送気されて、前記各パネルボード４を冷却または加温した後の使用済みの冷・温風を、加圧機２５により吸引して加圧し、更に加冷・加温して、該加冷・加温された冷・温風を、前記各パネルボード４の上部空調エア通路３内に圧送して、該各パネルボード４および下張り１４の冷却または加温効果を更に上げるよう形成されている。
【００２２】
前記加圧機２５は、空気調和機２４から下部空調エア通路２内に送気された冷・温風で、各パネルボード４を下面より冷却または加温した後の使用済みの冷・温風を吸引して加冷・加温すべく、前記空気調和機２４から離れた位置に設けられた加圧機室２７内に設置されている。
【００２３】
前記加圧機２５は、前記使用済みの冷・温風を吸引する吸引パイプ３２が、その先端側を前記下部空調エア通路２の端部に臨ませると共に、その基部側が該加圧機２５に連結されている。そして、前記吸引パイプ３２より吸引された使用済みの冷・温風は加圧機２５に吸引されて加圧され、該使用済みの冷・温風が再び加冷・加温される。
【００２４】
前記加圧機２５の下流側には主ヘッダー３３が連結され、且つ該主ヘッダー３３には複数本のゴムパイプ３４の基端部が連結されると共に、該各ゴムパイプ３４の先端部には送気ヘッダー３５が連結され、更に該送気ヘッダー３５には複数本の送気ゴムパイプ３６の基端部が連結されると共に、該各送気ゴムパイプ３６の先端部は、前記各パネルボード４の上部空調エア通路３内に冷・温風を高圧で圧送する圧送手段３７の基部側に連結されている。
【００２５】
すなわち、前記圧送手段３７は、特に限定する必要はないが、好ましくは、各パネルボード４の中央部に位置する凹部１７の上周縁部に穿設された連結孔３８にそれぞれその先端部が装着固定される。そして、前記圧送手段３７により各パネルボード４の上部空調エア通路３内に圧送されて、該各パネルボード４および下張り１４を冷却または加温した後の冷・温風は、各パネルボード４の四周縁部にそれぞれ穿設された排気孔３９より排気され、前記下部空調エア通路２内に流入して循環する。
【００２６】
前記圧送手段３７としては、特に限定する必要はないが、好ましくは、前記各送気ゴムパイプ３６の先端部に、エアインジェクター４０を連結して形成することが推奨される。そして、前記エアインジェクター４０により、高圧で冷・温風の空調エアを各パネルボード４の上部空調エア通路３内へ圧送する。
【００２７】
前記エアインジェクター４０は、特に限定する必要はないが、好ましくは図１１に示すように形成することが推奨される。すなわち、下流側に通路を狭く絞ってベンチュリー４１を形成した一次空気流入管４２の外周面に、通気用の間隔を有して複数本の支持片４３を下流側へ拡開して突設すると共に、該各支持片４３の先端に、湾曲して拡開した二次空気流入口４４を開口した、前記一次空気流入管４２より径大の二次空気流入管４５を、前記ベンチュリー４１の先端外周面に前記二次空気流入口４４を臨ませて連結固定して形成されている。
【００２８】
そして、前記構成より成るエアインジェクター４０の一次空気流入管４２の上流側が、前記送気ゴムパイプ３６に連結されると共に、二次空気流入管４５が、圧送ゴムパイプ４６の基部側に連結され、更に、該圧送ゴムパイプ４６の先端部が前記パネルボード４の連結孔３８に装着固定されている。
【００２９】
前記部屋Ｒ内に設けられたパネルボード４上には、タイルカーペットや布カーペット等の床仕上材１５が敷設されるが、該床仕上材１５は、グリル５部分には敷設せず、該グリル５を介して下部空調エア通路２からの冷・暖風の部屋Ｒへの吹出し通路を確保する。なお、図中、４７・４８は、加圧機２５の外壁２８ａに設けられた排気ファンと、空気取入れ口である。
【００３０】
すなわち、本発明は、前記のように、下部空調エア通路２内に送気された空気調和機２４からの冷・温風の空調エアにより、各パネルボード４を下面より冷却または加温すると共に、前記下部空調エア通路２内に送気されて、前記各パネルボード４を冷却または加温した後の使用済みの冷・温風を加圧機２５に吸引して加圧することにより、更に冷却・加温され、そして、該冷却または加温された冷・温風を前記加圧機２５から主ヘッダー３３、ゴムパイプ３４、送気ヘッダー３５、送気ゴムパイプ３６およびエアインジェクター４０を介して各パネルボード４の上部空調エア通路３内に圧送して、該各パネルボード４を更に冷却または加温すると共に、該上部空調エア通路３を構成する下張り１４を冷却または加温して、前記各パネルボード４から床仕上材１５を通して冷気または暖気を部屋Ｒ内へ放射して、前記部屋Ｒを冷却または加温する床放射冷暖房装置と、前記下部空調エア通路２内に送気された空気調和機２４からの冷・温風の空調エアを、グリル５に開口されたスリット６を通して部屋Ｒへ吹出して、前記部屋Ｒを冷却または加温する床吹出し冷暖房装置との組合せより成るものである。
【００３１】
そして、前記部屋Ｒを冷却または加温されて、使用済みの冷風または温風は、還流口３１を介して空気調和機２４に吸引されて、再び該空気調和機２４により冷却または加温されて、使用済みの冷風または温風を循環させて再利用を図っている。
【００３２】
前記実施の形態より成る本発明住宅用全空気方式床冷暖房システムの作用について説明する。部屋Ｒを冷房する場合は、先ず空気調和機２４により生成された冷風をダクト３０を介して下部空調エア通路２内に送気すると、該下部空調エア通路２内に送気された冷風が各パネルボード４を下面より冷却する。そして、該各パネルボード４を下面より冷却した後の使用済みの冷風は、加圧機２５に吸引されて加圧されることによって、再び冷却されて送気ゴムパイプ３６に送気され、且つ該送気ゴムパイプ３６に送気された冷風は、圧送手段３７であるエアインジェクター４０に送気される。
【００３３】
前記エアインジェクター４０の一次空気流入管４２に送気された冷風は、ベンチュリー４１によって風速が６倍程度に早められて、該一次空気流入管４２から排気されると、前記ベンチュリー４１の排気口外周付近が負圧になり、該ベンチュリー４１の周囲の下部空調エア通路２内の冷風を吸引して混合気流となって、高圧で二次空気流入口４４から二次空気流入管４５に流れ込み、更に圧送ゴムパイプ４６を介して各パネルボード４の中央部から上部空調エア通路３内に高圧で流入し、前記各パネルボード４を冷却すると共に、該上部空調エア通路３を構成する下張り１４を冷却する。そして更に、前記各パネルボード４の上部空調エア通路３内に高圧で流入した冷風は、該各パネルボード４を冷却した後、各パネルボード４の四周縁部の各排気孔３９より前記下部空調エア通路２内に排気されて循環する。
【００３４】
前記各パネルボード４は、上部空調エア通路３内において多数の方形状の逆凹部１９とコップ状の凹部１７が形成され、該逆凹部１９とコップ状の凹部１７により該パネルボード４の上部空調エア通路３の表面積が大となるため、該上部空調エア通路３内に流入した冷風との接触面積が大となり、また該上部空調エア通路３内に流入した冷風が、前記方形状の逆凹部１９とコップ状の凹部１７により形成された凹凸部に接触して乱流して、前記上部空調エア通路３を構成するパネルボード４の上面と下張り１４の底面に平均して接触し、冷気の各パネルボード４および下張り１４への伝導効率が高められ、該各パネルボード４が迅速に冷却されると共に、冷却状態をそのまま維持できるのである。
【００３５】
また、下部空調エア通路２内において、多数の方形状の逆凹部１９と下部突起１８が形成され、該逆凹部１９と下部突起１８により前記パネルボード４の下部空調エア通路２の表面積が大となるため、前記下部空調エア通路２内に流入した冷風との接触面積が大となり、また該下部空調エア通路２内に流入した冷風が、前記逆凹部１９と下部突起１８により形成された凹凸部に接触して乱流し、前記下部空調エア通路２を構成するパネルボード４の下面に平均して接触し、冷気の各パネルボード４への伝導効率が高められ、該各パネルボード４が迅速に冷却されると共に、冷却状態をそのまま維持できるのである。そして、前記上部空調エア通路３に送気された冷風により直接下張り１４を冷却すると共に、前記冷却された各パネルボード４の上部突起２０に接触する下張り１４を間接的に冷却することにより、該冷却された下張り１４からの冷気を床仕上材１５を通して部屋Ｒ内に放射して、該部屋Ｒ内を冷房する。
【００３６】
更に、前記下部空調エア通路２内に送気された冷風を、壁２３ａに近接して設けられたグリル５のスリット６より部屋Ｒ内に吹出して該部屋Ｒ内を冷房すると共に、例えば前記部屋Ｒにおいて窓が形成されていて、外部より暖気が侵入するペリメータ部の暖気を抑制し、更に冷房効率を高める。そして、前記部屋Ｒを冷却した後の使用済みの冷風は、還流口３１を介して空気調和機室２６内に還流されて、再び該空気調和機２４により冷却されて、使用済みの冷風の再利用を図る。
【００３７】
次に、前記実施の形態より成る本発明住宅用全空気方式床冷暖房システムを用いて、部屋Ｒを暖房する場合について説明する。先ず空気調和機２４により生成された温風をダクト３０を介して下部空調エア通路２内に送気すると、該下部空調エア通路２内に送気された温風が各パネルボード４を下面より加温する。そして、該各パネルボード４を下面より加温した後の使用済みの温風は、加圧機２５に吸引されて加圧されることによって、再び加温されて送気ゴムパイプ３６に送気され、且つ該送気ゴムパイプ３６に送気された温風は、圧送手段３７であるエアインジェクター４０に送気される。
【００３８】
前記エアインジェクター４０の一次空気流入管４２に送気された温風は、ベンチュリー４１によって風速が６倍程度に早められて、該一次空気流入管４２から排気されると、前記ベンチュリー４１の排気口外周付近が負圧になり、該ベンチュリー４１の周囲の下部空調エア通路２内の温風を吸引して混合気流となって、高圧で二次空気流入口４４から二次空気流入管４５に流れ込み、更に圧送ゴムパイプ４６を介して各パネルボード４の中央部から上部空調エア通路３内に高圧で流入し、前記各パネルボード４を加温すると共に、該上部空調エア通路３を構成する下張り１４を加温する。そして更に、前記各パネルボード４の上部空調エア通路３内に高圧で流入した温風は、該各パネルボード４を加温した後、各パネルボード４の四周縁部の各排気孔３９より前記下部空調エア通路２内に排気されて循環する。
【００３９】
前記各パネルボード４は、上部空調エア通路３内において多数の方形状の逆凹部１９とコップ状の凹部１７が形成され、該逆凹部１９とコップ状の凹部１７により該パネルボード４の上部空調エア通路３の表面積が大となるため、該上部空調エア通路３内に流入した温風との接触面積が大となり、また該上部空調エア通路３内に流入した温風が、前記方形状の逆凹部１９とコップ状の凹部１７により形成された凹凸部に接触して乱流して、前記上部空調エア通路３を構成するパネルボード４の上面と下張り１４の底面に平均して接触し、暖気の各パネルボード４および下張り１４への伝導効率が高められ、該各パネルボード４が迅速に加温されると共に、加温状態をそのまま維持できるのである。
【００４０】
また、下部空調エア通路２内において、多数の方形状の逆凹部１９と下部突起１８が形成され、該逆凹部１９と下部突起１８により前記パネルボード４の下部空調エア通路２の表面積が大となるため、前記下部空調エア通路２内に流入した温風との接触面積が大となり、また該下部空調エア通路２内に流入した温風が、前記逆凹部１９と下部突起１８により形成された凹凸部に接触して乱流し、前記下部空調エア通路２を構成するパネルボード４の下面に平均して接触し、暖気の各パネルボード４への伝導効率が高められ、該各パネルボード４が迅速に加温されると共に、加温状態をそのまま維持できるのである。
【００４１】
そして、前記上部空調エア通路３に送気された温風により直接下張り１４を暖房すると共に、前記加温された各パネルボード４の上部突起２０に接触する下張り１４を間接的に加温することにより、該加温された下張り１４からの暖気を床仕上材１５を通して部屋Ｒ内に放射して、該部屋Ｒ内を暖房する。
【００４２】
更に、前記下部空調エア通路２内に送気された温風を、壁２３ａに近接して設けられたグリル５のスリット６より部屋Ｒ内に吹出して該部屋Ｒ内を暖房すると共に、例えば前記部屋Ｒにおいて窓が形成されていて、外部より冷気が侵入するペリメータ部の冷気を抑制し、更に暖房効率を高める。そして、前記部屋Ｒを加温した後の使用済みの温風は、還流口３１を介して空気調和機室２６内に還流されて、再び該空気調和機２４により加温されて、使用済みの温風の再利用を図る。
【００４３】
【発明の効果】
本発明は上述のようであるから、空気調和機の冷・温風の空調エアを下部空調エア通路内に送気して、各パネルボードの下面より冷却または加温すると共に、前記下部空調エア通路内に送気されて前記各パネルボードを冷却または加温した後の使用済みの冷・温風を、加圧機により再度冷却または加温し、これを圧送手段を介して、前記各パネルボードの上部空調エア通路に圧送して、該各パネルボードを更に冷却・加温して、パネルボードから冷気または暖気を放射して、部屋を冷却または加温する床放射冷暖房装置と、前記下部空調エア通路内に送気された冷・温風の空調エアをグリルに設けられたスリットを介して吹出して部屋を冷却または加温する床吹出し冷暖房装置とを組合せたので、冷暖房効率がよい。
【図面の簡単な説明】
【図１】本発明住宅用全空気方式床冷暖房システムの概略縦断面図である。
【図２】本発明住宅用全空気方式床冷暖房システムを構成するパネルボードの平面図である。
【図３】本発明住宅用全空気方式床冷暖房システムを構成するパネルボードの一部を省略して示す斜視図である。
【図４】図２の横断面図である。
【図５】本発明全空気方式床冷暖房システムにおける大引きと根太の状態を示す平面図である。
【図６】本発明全空気方式床冷暖房システムにおいて、断熱板上に複数列に亘って設けられた根太群と、各根太間にパネルボードを装入した状態を示す平面図である。
【図７】本発明住宅用全空気方式床冷暖房システムにおいて、パネルボードを各根太間に取付けた状態を示す（一部の根太間のパネルボードは想像線で図示されている）平面図である。
【図８】本発明住宅用全空気方式床冷暖房システムにおける要部の縦断面図である。
【図９】本発明全空気方式床冷暖房システムにおいて、各列を構成するパネルボードの接合状態を示す縦断面図である。
【図１０】本発明住宅用全空気方式床冷暖房システムにおいて、上部空調エア通路に加圧機よりの冷・温風を圧送する状態を示す概略説明図である。
【図１１】本発明住宅用全空気方式床冷暖房システムにおける圧送手段部分の縦断面図である。
【符号の説明】
Ｒ  部屋、  １  床面、  ２  下部空調エア通路、  ３  上部空調エア通路、  ４  パネルボード、  ５  グリル、  ６  スリット、  ７  大引き、  ８  凹部、  ９    断熱材、  １０  断熱板、  １１  根太、  １２ａ〜１２ｃ  根太群、  １３  凹部、  １４  下張り、  １５  床仕上材、  １６  基板、  １７  コップ状の凹部、  １８  下部突起、  １９  方形状の逆凹部、  ２０  上部突起、  ２１  コーキング材、  ２２  通気開口、  ２３ａ・２３ｂ  壁、  ２４空気調和機、  ２５  加圧機、２６  空気調和機室、  ２７  加圧機室、  ２８ａ・２８ｂ  外壁、  ２９  室外機、  ３０  ダクト、  ３１  還流口、  ３２  吸引パイプ、  ３３  主ヘッダー、  ３４  ゴムパイプ、  ３５  送気ヘッダー、  ３６  送気ゴムパイプ、３７  圧送手段、  ３８  連結孔、  ３９  排気孔、  ４０  エアインジェクター、  ４１  ベンチュリー、  ４２  一次空気流入管、  ４３  支持片、  ４４  二次空気流入口、４５  二次空気流入管、  ４６  圧送ゴムパイプ、  ４７  排気ファン、  ４８  空気取入れ口。
【図１】
0003602101.tif 000002
【図２】
0003602101.tif 000003
【図３】
0003602101.tif 000004
【図４】
0003602101.tif 000005
【図５】
0003602101.tif 000006
【図６】
0003602101.tif 000007
【図７】
0003602101.tif 000008
【図８】
0003602101.tif 000009
【図９】
0003602101.tif 000010
【図１０】
0003602101.tif 000011
【図１１】
0003602101.tif 000012